(57)【要約】【課題】砂浜、海底、沼地等軟弱地盤で使用するアンカーとして、軽量で十分なアンカー力を持ち、且つ繰り返し再使用が可能なアンカー杭に関する。【解決手段】  先端を尖らせたロッドと、前記ロッドの先端付近に設けたスリット状の溝と、その溝に支点軸で固定し支点軸を挟んでプレートとロックアームを持つアンカープレートと、により構成され、前記ロッドは筒型のアウターロッド２１と前記アウターロッド内にスライド可能にはめ込んだインナーロッド２２との二重構造をなし、インナーロッド２２先端のストッパー３１をロック、アンロックの二つの位置への調整と、ロッド２１の土中への侵入、引き抜き時の土の抵抗との相乗効果で、前記アンカープレート２３が開閉し、前記ロッド２１を地中に係止、又は解除引き抜きができ、軟弱地盤での安定なアンカー力確保と繰り返し再使用ができるアンカー杭を提供する。【選択図】  図４
2007132068.tif 000002
【特許請求の範囲】
【請求項１】
先端を尖らせたロッドと、前記ロッドの先端付近に設けた地中係止手段と、ロッド後端に取り付けたリング、又はフックと、を有し、前記地中係止手段は、前記ロッドの先端付近に支点軸で固定し支点軸を挟んでプレートとロックアームを持つアンカープレートと、からなることを特徴とするアンカー杭。
【請求項２】
前記ロッドが筒形のアウターロッドと、前記アウターロッド内にスライド可能にはめ込んだインナーロッドとの二重構造を成し、前記インナーロッド先端のストッパーの位置を調整する調整手段と、同調性手段で調整されたストッパー位置により、前記アンカープレートのロックアームがロック、又はアンロック状態に設定されることを特徴とする請求項1に記載のアンカー杭。
【請求項３】
前記アンカープレートは、前記ロッドが地中に侵入する場合、前記ロッドの外面に外接触しているとともに、前記プレートの後端部はすくい角度を有し、同すくい角度分前記ロッド外面に対して離間しており、且つ前記アンカープレートのロックアームは先端に向け前記ロッドの軸心方向に曲がり、前記ロッドの外面の内側溝内に納まっている、ことを特徴とする請求項1、又は２に記載のアンカー杭。
【請求項４】
前記アンカー杭は、地中打ち込み工具を有し、前記打ち込み工具は、用途にあわせた長さを有するロッドの先端に設けたインローと、前記インロー部は、アンカー杭後端のリング、又はフックにアンカー用ロープを付けたまま嵌まり込む空間を有し、又前記ロッドの後端はハンマーで打設可能な平面を有してなる、ことを特徴とする請求項１、２、又は３に記載のアンカー杭。
【発明の詳細な説明】
【技術分野】
【０００１】
本発明は砂浜や海底あるいは沼地等軟弱地盤で使用するアンカー杭に関するものである。
【背景技術】
【０００２】
従来におけるこの種のアンカー杭は、スクリュー構造、根だし突起アンカー等があるが、スクリュー構造のものは回転させながら地中に侵入させる必要があり、又スクリュー径分アンカー力は上がるものの、砂地、沼地等軟弱地盤では十分なアンカー力が発揮できない欠点がある（例えば、特許文献1参照）。又、スクリュー構造で、且つスクリューを逆回ししたときに、軸に密着していた係止片（羽根）が開き地中に係止する発明があるが、支持棒の外側に通しボルトとナットで係止片を接続する構造となっており、地中侵入時の土砂との干渉と強度に疑問がある(例えば、特許文献2参照)。根出し突起アンカーについても、支持棒の鋼管内に収まる範囲のプレート寸法となり、アンカー力アップに限界があり、且つ根出し機構を管内に設ける必要があり、構造が複雑になる欠点がある(例えば、特許文献3参照)。
【０００３】
いずれのケースにおいても、大規模な土木建築等構造物用アンカー以外の用途で砂浜、海中、沼地など軟弱地盤に使用するアンカー杭として適当なものが無く、漁業用の網、筏、小型漁船、ブイ等に使用する軽量で、且つ十分なアンカー力を有するアンカー杭は見当たらない。又、砂浜でテントを張るときなどに使用する軽量で十分なアンカー力を有し、且つ繰り返し使用可能なアンカー杭が求められている。
【特許文献１】特開２００５−１０５７５６
【特許文献２】特開２０００−２２０１４１
【特許文献３】特開２００４−５２３８３
【発明の開示】
【発明が解決しようとする課題】
【０００４】
本発明の第一の目的は、上述の従来技術の問題に鑑み、砂浜、海底、沼地等軟弱地盤で使用するアンカーとして軽量で、十分なアンカー力を持つアンカー杭を提供すること。第二の目的は、前記第一の目的を達成しつつ、抜き差しが可能で、一つのアンカーで位置変更、繰り返し再使用に対応できるアンカー杭を提供すること。又、第三の目的は、海底、池の底等に使用するときに、水面上から打ち込むことができ、また、より強いアンカー力を得る目的で、地中深く打ち込むことができるアンカー杭を提供することにある。
【課題を解決するための手段】
【０００５】
上記第一の目的を達成するために請求項１に係るアンカー杭は、先端を尖らせたロッドと、前記ロッドの先端付近に設けた地中係止手段と、ロッド後端に取り付けたリング、又はフックと、を有し、前記地中係止手段は、前記ロッドの先端付近に設けたスリット状の溝と、その溝に支点軸で固定し支点軸を挟んでプレートとロックアームを持つアンカープレートで構成されている。前記ロッドが地中に侵入する場合、前記アンカープレートは土砂の抵抗を受け前記ロッドの外面に外接触する構造としているとともに、前記プレートの後端部はすくい角度を有し、同すくい角度分前記ロッド外面に対して離間しており、且つ前記アンカープレートのロックアームは先端に向け前記ロッドの軸心方向に曲がり、前記ロッドの外面の内側溝内に納まるようにしている。前記ロッドを地中に打ち込み後引き抜き方向に動かすと、前記プレートの後端部すくい角度により、ロッドとプレート間に土砂が侵入し、プレートが地中に食い込み、前記アンカープレートのロックアームがスリッド溝内のストッパーに到達するまでロッド軸に対しほぼ直角に開く構造としている。
【０００６】
上記第二の目的を達成するために請求項2、または３に係るアンカー杭は、前記ロッドが筒形のアウターロッドと、前記アウターロッド内にスライド可能にはめ込んだインナーロッドとの二重構造とし、前記インナーロッド先端のストッパーの位置を調整する調整手段と、同調性手段で調整されたストッパーの位置により、前記アンカープレートのロックアームがロック、又はアンロック状態に設定される。前記ストッパー位置をロック位置に設定し、前記ロッドを地中に侵入させると、前記ロックアームは前述の通り土砂の抵抗を受けてロッド外面に外接触し、抵抗無く打ち込める構造としている。ロッドを地中に打ち込んだ後、引き抜き動作を開始すると、前記プレートの後端部すくい角度により、ロッドとプレート間に土砂が侵入し、プレートが地中に食い込み、前記アンカープレートのロックアームがロッド軸とほぼ直角になるまで開きスリッド状溝内のストッパーに到達ロックされ、前記ロッドが地中に係止される構造としている。前記ロッドを地中から引き抜くときは、前記インナーロッド先端のストッパーの位置調整手段によりインナーロッドをアンロック位置に設定する。引き抜き動作を開始するとロックアームがストッパーからはずれ地中係止状態は解除され、プレートが反進行方向に倒れる構造とした。
【０００７】
前記第三の目的を達成するために請求項第4にかかるアンカー杭は、地中への打ち込み工具を有している。前記打ち込み工具は、用途にあわせた長さを有するロッドの先端に設けたインローと、前記インロー部は、アンカー杭後端のリング、又はフックにアンカー用ロープを付けたまま嵌まり込む空間を有し、又前記ロッドの後端はハンマーで打設可能な平面を有し、水上から打ち込む場合、水深より長いロッドの先端にアンカー杭を後端のリング、又はフックにアンカー用ロープを付けたまま固定し、同ロッドの尾端をハンマーリングすることにより地中に打ち込むことができる構造としている。
【発明の効果】
【０００８】
前記第一の手段によれば、前記アンカー杭を地中に打ち込むとき、前記アンカープレートが前記ロッドの外面に外接触する構造としていることにより、抵抗を受けることなく打ち込みが可能で、又、ロックアームの先端をロッドの中心方向に曲げスリット状の溝内に納めていることにより打ち込み時のアンカープレートに土砂、異物からの反力がかからないようにし、且つ地中に打ち込み後引き抜き方向にロッドを戻すと、同アンカープレートが開き地中に食い込みロックアームが前記ロッドのスリット状溝内のストッパーに当る（ロッドとほぼ直角になる）まで開くことにより、軟弱地盤でも確実に地中に係止することができる。
【０００９】
前記第二の手段によれば、前記ロッドをアウターロッドとインナーロッドの二重構造とし、インナーロッドの先端に設けたストッパー位置をロック、アンロック位置に調整可能とすることで、前記ロッド打ち込み時の動作は前記第一の手段と同じであるが、前記ロッドを引き抜くとき、インナーロッドのストッパー位置をアンロック位置とし、前記アンカープレートのロックアームを解除することにより、アンカープレートが、引き抜き方向と反対側に倒れ、地中係止状態がはずれ、抵抗無く引き抜くことが可能となり同アンカー杭の位置変更、あるいは再使用が可能になる。
【００１０】
前記第三の手段によれば、海底湖底等にアンカー杭を打ち込む場合水面上からの打ち込みが可能になり、船上、筏上での作業が可能になる。又、前記打ち込み工具を使うことにより、特に軟弱な地盤でアンカー力を上げたい場合、又は、よりしっかりした地耐力のある地盤までアンカー杭を届かせたい場合などロープつきで地中深く打ち込める効果がある。
【発明を実施するための最良の形態】
【００１１】
本発明の実施例について図面を参照しながら説明する。
【実施例１】
【００１２】
図１は、この発明のアンカー杭の実施例の打ち込み前の状態断面図、図２は、地中でアンカープレートが開き、地中係止状態の断面図を示している。又、図３は図2のＡ−Ａ断面図である。図1において、ロッド４１の先端付近にスリット状の溝２０を設け、その溝に設けた支点軸２５にアンカープレート２３が揺動可能に固定されている。アンカープレート２３は、支点軸２５を挟んでプレート３３とロックアーム３２とからなり、ロックアーム３２はロッド４１の中心方向に曲げてあり、先端がスリット状溝２０の中に納まる構造としている。又、ロッド４１の後端にはアンカーロープを取り付けるリング２４（フックでも可能）が取り付けてあり、又、同先端３０はスムースに地中に打ち込めるよう尖らせている。なお、アンカープレートの個数は、アンカー杭のサイズ、用途に合わせてロッド外周に１個、又は複数個設けることが望ましい。
【００１３】
アンカープレート２３は地中侵入時、後端側のロッド４１の外面に外接触しており、地中侵入後引き抜き方向に動かすと、同アンカープレート２３のプレート３３のすくい角分離間している部分に土砂が入りプレート２３を起こし、ロックアーム３２がロッド４１のストッパー５１の部分でロック状態になるまでプレート３３が土中に食い込み、アンカープレートがロッドとほぼ直角になった時点でロック状態となりアンカー杭が土中に係止される構造となっている。
【００１４】
図３は図２のＡ−Ａ断面図である。ロッド４１に設けたスリット状溝２０の支点軸２５にアンカープレート２３が固定されている。
【００１５】
図面には記載していないが、ロッド４１の先端付近に切り欠きを設け、その切り欠き部分に設けた支点軸にアンカープレート２３を揺動可能に固定し、アンカープレートが軸方向に対しほぼ直角になった位置で前記切り欠き部分に設けた段差によるストッパーでロックし、アンカー杭を地中に係止する構造とすることもできる。
【実施例２】
【００１６】
図４、図５、図６は、アンカー杭の位置変更あるいは再使用に対応可能にするため抜き差し可能としたアンカー杭の断面図を示している。図４においてアンカー杭は、筒型のアウターロッド２１とインナーロッド２２とからなりインナーロッド２２の先端のストッパー３１の位置調整は、ロッド後端部のインナーロッド２２に設けたキー２７と、アウターロッド２１の内面側に設けた軸方向のキー溝２６と、その両端に位置する周方向のキー溝２８，２９で行う構造にしている。軸方向キー溝２６はインナーロッドの上下スライド用、周方向のキー溝２８はストッパーのロック位置設定用、又、周方向キー溝２９はアンロック位置設定用である。
【００１７】
アンカー杭を地中に侵入させるときは、インナーロッド２２のストッパー３１の位置をロック位置(ロックキー２７がキー溝２８に固定されている位置)に設定し、アンカープレート２３がロッド外面に外接触した状態とする。図５において、地中侵入後抜き出し方向に動かすことによりアンカープレート２３は開き、インナーロッドのストッパー３１とロックアーム３２が接触ロックされたところでアンカープレートが止り、地中にロッドを係止させる構造としている。
【００１８】
図６において、ロッドを地中から引き抜くときは、インナーロッド２２のストッパー３１の位置をアンロック位置、即ちキー２７がキー溝２９で固定される位置に設定後引き抜き動作を開始すると、ストッパー３１とロックアーム３２間のロック状態が解除され、アンカープレート２３は土砂の抵抗を受けて反抜き出し方向(ロッドの先端側)に倒れ抵抗無く抜き出すことが可能である。
【００１９】
図７は図５のＢ−Ｂ断面図である。アウターロッド２１と、インナーロッド２２及びアンカープレート２３は支点軸２５で搖動可能に固定され開いた状態を示している。アウターロッド２１、インナーロッド２２にはそれぞれキー溝、及びキー２７が設けてある。なお、本実施例ではアンカープレート個数は２個としているが、アンカー杭のサイズ、用途に応じてアンカープレートを１個、又は複数個の最適個数にすることが望ましい。
【実施例３】
【００２０】
図８、図９は、ロッド打ち込み時のアンカープレート２２の抵抗を少なくするため、アンカープレート２３のすくい角度をゼロとした実施例３の断面図である。図８において、アンカープレート２３の尾端に、土砂の誘導片１９をピンで固定し、同誘導片の端部はロッド４１の外面より離間した形状としている。また、誘導片１９は土砂の抵抗を受けたとき、アンカープレート２３に対し３０度程度の角度までしか開かないように支点部にストッパーを設けている。
【００２１】
図９は、ロッド４１を地中に打ち込み後抜き出し動作を行ったとき、アンカープレート２３が開き、ロッド４１が地中に係止されるまでの過程を図示したものである。ロッド４１の抜き出し動作を開始すると、まず土砂の誘導片１９が起き上がり、約３０度開き止る。その後さらに抜き出し方向に動かすと、アンカープレート２３とロッド４１の外面の間に土砂を誘導し、アンカープレート２３自身が開き始めロックアーム３２がストッパー５１と接触しロック状態になるまで開き、ロッド４１は地中に  係止される。
【実施例４】
【００２２】
図１０はアンカー杭の打ち込み工具の断面図である。打ち込み工具のロッド４２の先端はアンカー杭のリング２４をエンクローズするための空洞４３を設けており、同空洞４３にはアンカーロープを通す穴４４が設けている。ロッド４２の先端は、アンカー杭の外周面にはめ込みピン４７で固定する構造としている。これにより打ち込み工具のロッド４２の先端にロープを付けた状態のアンカー杭をセットし、地中に向けて、ロッド４２のヘッド部４５をハンマーリングすることにより打ち込み可能としている。
【図面の簡単な説明】
【００２３】
【図１】アンカー杭打ち込み前断面図
【図２】アンカー杭地中係止状態断面図
【図３】図２のＡ−Ａ断面図
【図４】再使用可能アンカー杭打ち込み前断面図
【図５】再使用可能アンカー杭地中係止状態断面図
【図６】再使用可能アンカー杭引き抜き状態断面図
【図７】土砂誘導片付アンカー杭断面図
【図８】土砂誘導片付アンカー杭断面図
【図９】土砂誘導片付アンカー杭動作説明図
【図１０】打ち込み工具断面図
【符号の説明】
【００２４】
１９  土砂誘導片
２０  スリット状溝
２１  アウターロッド
２２  インナーロッド
２３  アンカープレート
２４  リング
２５  支点軸
２６  キー溝
２７  キー
２８  キー溝
２９  キー溝
３１  ストッパー
３２  ロックアーム
３３  プレート
３４  スリット状溝
３５  空隙
４１  ロッド
４２  打ち込み工具ロッド
４３  空隙
４４  ロープ貫通穴
４５  ヘッド
４６  ロープ
４７  ピン
【図１】
2007132068.tif 000003
【図２】
2007132068.tif 000004
【図３】
2007132068.tif 000005
【図４】
2007132068.tif 000006
【図５】
2007132068.tif 000007
【図６】
2007132068.tif 000008
【図７】
2007132068.tif 000009
【図８】
2007132068.tif 000010
【図９】
2007132068.tif 000011
【図１０】
2007132068.tif 000012